(57)【要約】      （修正有）【課題】カップ部による補整効果を維持しながらバストサイズの変化にも安定して対応することができる衣類を提供する。【解決手段】ブラジャー１は、左右に取り付けられるとともに少なくとも脇側縁部に補強部２ｅが形成された一対のカップ部２と、カップ部２の脇側及び下側に配置された基布部５と、カップ部２の縁部に沿ってバージスラインに対応するように配置されたテープ部３とを備える。テープ部３は、中央側部分をカップ部２の下縁に直接接続されているとともに脇側部分を伸縮性を有する素材からなる調整部４を介してカップ部２の補強部２ｅに接続されている。調整部４は、脇側に行くに従い幅が次第に拡大するように設定されている。【選択図】図２
0003188652.tif 000002
【実用新案登録請求の範囲】
【請求項１】
左右に取り付けられるとともに少なくとも脇側縁部に補強部が形成された一対のカップ部と、前記カップ部の脇側及び下側に配置された基布部と、前記カップ部の縁部に沿ってバージスラインに対応するように配置されたテープ部とを備え、前記テープ部は、中央側部分が前記カップ部の下縁に直接接続されているとともに脇側部分が伸縮性を有する素材からなる調整部を介して前記カップ部の前記補強部に接続されており、前記調整部は、脇側に行くに従い幅が次第に拡大するように設定されている衣類。
【考案の詳細な説明】
【技術分野】
【０００１】
本考案は、バストを支えるためのカップ部を有するブラジャー等の衣類に関する。
【背景技術】
【０００２】
従来よりバストを支えるためにブラジャー等の衣類が用いられている。こうした衣類では、カップ部でバストを支えるとともにバストの形状を補整する機能を持たせることで、衣類を着用した際にバスト部分に均整のとれた美しい外形を表出させることができる。カップ部のサイズは、ＪＩＳ  Ｌ４００６に規定されており、アンダーバスト及びカップサイズに基づいて決められている。カップサイズは、アンダーバストとトップバストとの差によりＡ，Ｂ，Ｃ・・・とアルファベットで表記される。こうした規定によれば、バストを半球状に単純化した場合、カップサイズが大きくなるに従いバストである半球の直径が大きくなるように設定されるようになっている。
【０００３】
カップ部は、通常、厚い不織布を芯材として表側及び裏側を布地で被覆して構成されており、ほとんど伸縮性を有しておらず、そのため、安定した状態でバストを収容することができる。しかしながら、カップ部に伸縮性がないため、左右のバストのサイズが異なる場合や、体型の変化によりバストのサイズが変化した場合に、カップサイズが合わなくなって着用が困難になる。そのため、カップサイズを細分化して設定することも考えられるが、コスト負担が大きく現実的とは言えない。
【０００４】
こうした課題に対して、バストのサイズの変化に対して伸縮するカップ部を用いることが提案されている。例えば、特許文献１では、湾曲布及び乳房被覆布を伸縮テープ片で接続してカップを構成し、バストのサイズに応じて伸縮テープ片が伸縮することで広範囲のバストサイズに対応することができるカップが記載されている。また、特許文献２では、カップ部の中央部を伸縮性の低い素材で構成するとともに脇部を伸縮性の高い素材で構成することで、カップ全体として乳房へのフィット性を良好に維持する衣類が記載されている。
【先行技術文献】
【特許文献】
【０００５】
【特許文献１】特開２００３−４１４０７号公報
【特許文献２】特開２００３−５５８０５号公報
【考案の概要】
【考案が解決しようとする課題】
【０００６】
特許文献１及び２では、カップ部の一部分に伸縮性を有する素材を用いることで、バストサイズに対応可能としているが、伸縮性のほとんどない素材と伸縮性を有する素材を接続してカップ部を構成した場合、着用時にカップ部に左右の引張力が加わった場合にカップ部が変形して横皺が入るようになり、カップ部の形状が崩れて美しいバストシルエットが失われてしまう。また、特許文献１に記載されているようにカップの周囲に伸縮テープ片を設けると、バージスライン全体が変形しやすくなり、バストの重量がカップ部の伸縮性を有する部分に加わると、下側に伸びるように変形し、バストの補整効果が得られなくなる。
【０００７】
そこで、本考案は、カップ部による補整効果を維持しながらバストサイズの変化にも安定して対応することができる衣類を提供することを目的とするものである。
【課題を解決するための手段】
【０００８】
本考案に係る衣類は、左右に取り付けられるとともに少なくとも脇側縁部に補強部が形成された一対のカップ部と、前記カップ部の脇側及び下側に配置された基布部と、前記カップ部の縁部に沿ってバージスラインに対応するように配置されたテープ部とを備え、前記テープ部は、中央側部分が前記カップ部の下縁に直接接続されているとともに脇側部分が伸縮性を有する素材からなる調整部を介して前記カップ部の前記補強部に接続されており、前記調整部は、脇側に行くに従い幅が次第に拡大するように設定されている。
【考案の効果】
【０００９】
本考案は、上記のような構成を有することで、カップ部による補整効果を維持しながらバストサイズの変化にも安定して対応することができる。
【図面の簡単な説明】
【００１０】
【図１】本考案に係る実施形態に関するカップ部の表側から見た図である。
【図２】図１に示す実施形態に関するカップ部の裏側から見た図である。
【図３】カップ部を着用した状態に関する説明図である。
【図４】図２のＡ−Ａ断面図である。
【図５】カップ部を着用した状態を示す図４と同様の断面図である。
【考案を実施するための形態】
【００１１】
以下、本考案に係る実施形態について詳しく説明する。なお、以下に説明する実施形態は、本考案を実施するにあたって好ましい具体例であるから、技術的に種々の限定がなされているが、本考案は、以下の説明において特に本考案を限定する旨明記されていない限り、これらの形態に限定されるものではない。
【００１２】
図１は、本考案に係る実施形態に関するカップ部の表側から見た図であり、図２は、カップ部の裏側から見た図である。なお、カップ部の裏側は、着用した場合に肌側となり、カップ部の表側は、肌側と反対側の外側となる。この例では、衣類としてブラジャーを例に説明する。ブラジャー１は、左右一対のカップ部２を備えており、カップ部２の下縁部に沿うようにバージスラインに対応するテープ部３が取り付けられている。そして、各カップ部２の脇側縁部とテープ部３との間には調整部４が取り付けられており、テープ部３の下部にはテープ部３に沿うように基布部５が取り付けられている。カップ部２の裏側には、収容されたバストを寄せ集めてバストの形状を整える支持部６が取り付けられている。基布部５の左右両側には、バック部７が接続されており、カップ部２の脇側上部及び調整部４の上部には肩ストラップ部８が接続されている。なお、図面では、理解を容易にするため、バック部７及び肩ストラップ部８の一部を省略している。
【００１３】
カップ部２は、上部片２ａ、中央側下部片２ｂ及び脇側下部片２ｃの３つの部材を縫着して全体として椀状となるように湾曲形成されており、３つの部材の接続する中央部分が最も深いトップ位置２ｄとなっている。各部材は、表側生地及び裏側生地の間に所定の厚さの柔軟性のある不織布を挿入して構成されており、肌触りがよく伸縮性のほとんどない素材が用いられている。カップ部２の脇側には、上部片２ａ及び脇側下部片２ｃの縁部を縁縫いにより補強部２ｅが形成されており、補強部２ｅは、トップ位置２ｄの下方位置であるカップ部２の下縁部の中央側下部片２ｂと脇側下部片２ｃとの接続部分において、テープ部３と接続するように形成されている。そして、補強部２ｅとテープ部３との間に伸縮性を有する素材からなる調整部４が架け渡されるように取り付けられている。
【００１４】
左右のカップ部２は、互いの上部片２ａの中央側が基布部５から延設された接続部に縫着されて一体化されている。そして、カップ部２の中央側下部片２ｂ及び脇側下部片２ｃの下縁部には、テープ部３を介してカップ部２と同様に伸縮性のほとんどない素材で構成された基布部５がそれぞれ左右両側に延設されるように縫着されている。
【００１５】
テープ部３は、カップ部２の中央側下部片２ｂ及び脇側下部片２ｃの下縁部や基布部５の上縁部等の布地を重ね合せて厚みのあるテープ状に形成されており、カップ部２の裏側においてカップ部２の下縁部から脇側縁部に沿ってバージスラインに対応する位置に配置されている。テープ部３は、布地を重ねることでカップ部２の縁部に盛り上がるように形成されている。ブラジャー１を着用した場合、盛り上がるように取り付けられたテープ部３が胸の表面に圧接されて容易にずれないように取り付けられ、バストを囲むように保持してバージスラインを形成・維持するように機能する。テープ部３を布地を重ねて構成することで、従来のバージスラインの変形を抑制するようなワイヤを挿着する場合に比べて圧迫感が小さくなって着用感を向上させることができる。布地を重ねてテープ部３を構成する場合テープ部３が変形しやすくなるが、後述する支持部６によりバストが支持されるため、テープ部３の変形による型崩れを抑止することが可能となる。
【００１６】
なお、テープ部３には、後述するカップ部２の着用時の変形が可能であれば、厚みのある不織布等を内蔵したソフトワイヤを用いることも可能であり、また柔軟性を有する金属製又は樹脂製のワイヤを挿着することもできる。
【００１７】
調整部４は、例えば、伸縮性を有するようにナイロン繊維等の合成繊維からなる糸を用いて経編又は緯編により編成された公知の編地を裁断して用いればよい。こうした伸縮性を有する布地を切断して補強部２ｅとテープ部３との間に取り付けることで調整部４が形成されている。調整部４は、カップ部２の下縁中央（トップ位置２ｄの下方位置）から脇側に行くに従い幅が次第に拡大するように三日月の形状設定されている。そのため、テープ部３は、カップ部２の下縁の中央側端部から下縁中央までの中央側部分を縫着によりカップ部２に直接接続されており、カップ部２の下縁中央から下縁の脇側端部までの脇側部分は伸縮性を有する調整部４を介して補強部２ｅに接続されている。そのため、テープ部３は、中央側部分が伸縮性のほとんどないカップ部２に取り付けられて安定した状態で保持され、脇側部分が調整部４によりカップ部２に対して脇側方向に伸縮可能に取り付けられている。したがって、テープ部３により設定されるバージスラインは、中央側部分の形状は安定しているが、脇側部分の形状は調整部４の伸縮により脇側方向に変形可能となっている。
【００１８】
基布部５は、中央側からテープ部３に接続されて脇側に延設されており、織物からなる布地等の伸縮性のほとんどない素材が用いられている。そのため、着用時にテープ部３及びカップ部２を安定した状態に保持することができる。基布部５には、裏地にパイル地や編地等の柔らかい生地を用いて良好な肌触りを得るようにしてもよい。基布部５は、脇側において調整部４と接続するとともにバック部７と接続するようになっている。着用時には、バック部７が着用者の背中側に当接するとともに基布部５が胸側に当接してリング状に密着した状態となり、バック部７の引張力が主に基布部５に作用してブラジャー全体が安定した状態に保持される。そのため、カップ部２に対するバック部７の引張力の影響が小さくなり、後述するカップ部２の変形が容易に行えるようになる。
【００１９】
支持部６は、パワーネット等の伸縮性を有する所定幅の布地からなり、カップ部２の裏側においてカップ部２を横切るように設けられている。支持部６の中央側端部は、カップ部２の中央側縁部に沿って縫着され、脇側端部は、テープ部３の脇側部分に沿って縫着されている。支持部６の上縁は、カップ部２及び調整部４を横切るように設定され、カップ部２の裏側から見た場合トップ位置２ｄとほぼ同じ位置かわずかに下方となるように設定されており、支持部６の下縁は、カップ部２及び調整部４を横切るように設定されている。
【００２０】
支持部６は、カップ部２の中央側縁部とトップ位置２ｄとの間において中央側端部に沿って間隔を空けて設定された第一支持ラインである支持ライン６ａでカップ部２に縫着されている。また、支持部６は、カップ部２の脇側縁部とトップ位置２ｄとの間の領域において、テープ部３に沿うように間隔を空けて設定された第二支持ラインである支持ライン６ｂでカップ部２に縫着されている。支持ライン６ｂは、さらに支持部６の下縁に沿ってテープ部３まで延設されており、支持部６の下縁を縫着するようになっている。また、支持部６は、支持ライン６ｂとテープ部３との間の領域には、支持ライン６ｂに沿うように間隔を空けて設定された複数本の補強ライン６ｃでカップ部２に縫着されている。補強ライン６ｃに糸を縫い付けて形成することで、支持ライン６ｂに沿うように裏側に向かって湾曲しやすくなる。補強ライン６ｃのうち１本は、補強部２ｅに重なった領域において設定されており、各補強ライン６ｃは、同じような間隔を空けて設定されている。
【００２１】
バック部７は、縦横に伸縮性を有する布地をベルト状に形成して構成されている。使用される布地としては、例えば、伸縮性を有するようにナイロン繊維等の合成繊維からなる糸を用いて経編又は緯編により編成された公知の編地を裁断して用いればよい。バック部７は、伸縮性のほとんどない基布部５と接続する部分には布地を二重にし、脇から背中の回りの密着する部分には布地を一重にすることもできる。基布部５と接続する部分では、布地を二重にすることで弾性力を高めることができ、基布部５を脇側に引張る力を高めることが可能となる。そして、脇から背中回りの部分については、一重にすることで伸縮性が大きくなって肌に圧接する力が分散され、長時間着用していても過度に圧迫されることがなくなるといった効果が得られる。
【００２２】
肩ストラップ部８は、伸縮性を有する帯状の布地からなり、前側の端部をカップ部２の脇側上部及び調整部４の上部に縫着して接続し、後側の端部をバック部７の背中側に縫着により接続しており、前側と後側に架け渡すように取り付けられている。着用時には、肩ストラップ部８は、着用者に肩部に掛けられてカップ部２を引き上げるように作用し、カップ部２を安定した状態に保持する。
【００２３】
図３は、カップ部２を着用した状態に関する説明図である。一点鎖線で描かれた円Ｃは、例えばＣカップのサイズのバストを示している。カップサイズは、バストを半球状に単純化した場合に、カップサイズが大きくなるに従いバストに対応する半球の直径が長くなるように設定されている。例えば、Ｄカップに対応する円Ｄは、図３に示すように、Ｃカップを示す円Ｃよりも拡大するとともに中央側よりも脇側に向かって拡がるようになる。
【００２４】
したがって、カップサイズに対応するバージスラインを設定する場合、カップの中央側部分ではカップサイズが大きくなってもバージスラインの変化は小さいが、カップサイズが大きくなっていくと、脇側に行くに従いバージスラインが脇側方向及び下側方向に拡がるように変化するようになる。そのため、図３の一点鎖線で示すように、バージスラインに対応するテープ部３は、中央側部分がカップ部２に直接接続されてバストサイズの変化による変形が少ないが、脇側部分では、調整部４を介してカップ部２の補強部２ｅに接続されているため、バストサイズが大きくなっていくと、脇側に行くに従い脇側方向及び下側方向に変形可能となっている。そして、調整部４の伸縮の際にカップ部２が脇側に引張られるようになるが、補強部２ｅにより皺が寄るといったカップ部２の型崩れを生じることなくテープ部３が変形するようになる。
【００２５】
本考案では、中央側部分のバージスラインがカップ部２にテープ部３を直接接続して安定しているため、カップ部２による補整効果が得られるとともに、バストサイズの変化によるカップサイズの変動がある場合には調整部４の伸縮によりバージスラインがバストに対応して変形するため、補整効果を維持しながらカップサイズの変動に無理なく対応することができる。
【００２６】
図４は、図２のＡ−Ａ断面図である。支持部６は、支持ライン６ａ及び６ｂの間では、カップ部２との間に間隔を形成するように張設されており、支持ライン６ａ及び６ｂの間に生じる伸縮力により緊張した状態に設定されている。支持部６の上縁は、支持ライン６ａ及び６ｂの間では、カップ部２との間が縫着されておらず、開口した状態となっている。また、支持部６は、支持ライン６ａとカップ部２の中央側縁部との間では、カップ部２と当接するように張設した状態に設定されており、支持ライン６ｂとテープ部３との間では、補強ライン６ｃにより縫着されることでカップ部２及び調整部４に当接するように張設した状態に設定されている。
【００２７】
図５は、カップ部２を着用した状態を示す図４と同様の断面図である。カップ部２内にバストＢが収容された場合に、支持部６の支持ライン６ａ及び６ｂの間の張設された部分がバストＢによりカップ部２内に押し込まれてカップ部２の内面に当接するように引き伸ばされる。そのため、支持部６は、支持ライン６ａ及び６ｂに沿ってトップ位置２ｄに向かう伸縮力が大きくなり、支持ライン６ａとカップ部２の中央側縁部との間の部分及び支持ライン６ｂとテープ部３との間を引き寄せるように作用する。それに伴い、カップ部２の中央側縁部から支持ライン６ａの縫着位置までの部分が引き寄せられて面状に湾曲変形するようになる。また、カップ部２の補強部２ｅから支持ライン６ｂの縫着位置までの部分についても、補強ライン６ｃにより縫着されているため全体が引き寄せられて面状に湾曲変形するようになる。そのため、バストサイズの変化により調整部４が伸縮してテープ部３が変形した場合でも、テープ部３を引き寄せる力が働くことで、テープ部３がバストから外れることなく変化したバストのカップサイズに対応したバージスラインとしての機能を維持するようになる。
【００２８】
そして、支持部６の下縁における支持ライン６ｂの縫着位置においてもトップ位置２ｄに向かうように引き寄せる力が作用するようになる。なお、この例では、補強ライン６ｃを複数本設定しているが、カップ部２の補強部２ｅから支持ライン６ｃの縫着位置までの部分が面状に湾曲変形可能であれば、補強ライン６ｃを１本としてもよく、設けないようにすることもできる。
【００２９】
カップ部２の中央側及び脇側における面状の湾曲変形及び下側における引き寄せる力により、バストＢの周辺部分がトップ位置２ｄに向かうように寄せ集められ、バストＢが全体として持ち上げられて着用者の前側に突き出すように整形される。そのため、着用した際にバストＢの脇側の引き締め効果によりすっきりした形状となり、トップ位置２ｄも高くなるように設定することができる。また、支持部６の上縁よりも上側のカップ部２の部分は、支持部６の伸縮力により引き寄せられて湾曲するようになり、ボリューム感を向上させることができる。こうして、カップ部２の変形により造形的に変化することで美しいバストシルエットを表出することが可能となる。
【００３０】
また、バストサイズが変化した場合にも、変化したバストのカップサイズに対応してテープ部３の脇側部分が調整部４の伸縮により無理なく変形して、美しいバストシルエットを維持しながらカップサイズを変動させることができる。そのため、１つの商品で複数のカップサイズに対応することが可能となり、カップサイズ別の商品数を少なくすることができる。したがって、商品管理を簡略化して商品ロスを少なくすることができ、また、商品を選択する場合にもカップサイズ別の商品数が少ないので選択が容易になるとともに着用感を向上させることができる。
【００３１】
また、バストＢの周辺部を寄せ集めるようにカップ部を湾曲変形させて造形的に変化させるので、加齢とともに変化したバストの場合でもカップ部を変形させて収容することで、無理のない自然な補整を行うことができ、幅広い世代にわたって良好な着用感が得られるようになる。
【００３２】
テープ部３には、従来のような硬質のワイヤではなく柔軟性を有し肌触りの柔らかい素材で形成されているため、着用感が良好で美しいバージスラインを形成することができる。しかしながら、こうしたテープ部３布は、従来のワイヤのような弾性を有しておらず変形しやすく、長時間着用すると型崩れが生じやすい、といった欠点があるが、上述したように、カップ部２に対して支持ライン及び補強ラインにより縫着された支持部６が着用時にバストＢを支持するようになるため、型崩れが抑止されて美しいバストシルエットを保つことが可能となる。
【００３３】
以上説明した例では、衣類としてブラジャーを例に説明したが、本考案に係る衣類としては、ブラスリップ、ブラキャミソール等のカップ部を有するインナーウェア、水着、レオタード等のカップ部を有するアウターウェア、アウターウェアのうち内面のバスト部分にカップ部が設けられている衣類が挙げられる。こうした衣類では、調整部及び支持部を取り付けたカップ部とともに、テープ部を取り付けた基布部を適用することで本考案に係る衣類を実現することができる。
【符号の説明】
【００３４】
１・・・ブラジャー、２・・・カップ部、３・・・テープ部、４・・・調整部、５・・・基布部、６・・・支持部、６ａ・・・第一支持ライン、６ｂ・・・第二支持ライン、６ｃ・・・補強ライン、７・・・バック部、８・・・肩ストラップ部
【図１】
0003188652.tif 000003
【図２】
0003188652.tif 000004
【図３】
0003188652.tif 000005
【図４】
0003188652.tif 000006
【図５】
0003188652.tif 000007